(57)【要約】【課題】電動ズーム操作機能を有する交換レンズがカメラ本体に装着された場合の電動ズーム操作の競合等によるシステム破綻を防止すると共に、操作性よく多彩な撮影を可能とする。【解決手段】電動のズームレンズ２０４と、レンズ望遠釦２０７Ｔおよびレンズ広角釦２０７Ｗからなるレンズズーム操作釦２０６を具備した交換レンズ２０１を装着可能で、本体望遠釦１１０Ｔおよび本体広角釦１１０Ｗから本体ズーム操作釦１０９を備えたカメラ本体１０１において、本体ズーム操作釦１０９またはレンズズーム操作釦２０６の一方にズームレンズ２０４の電動ズーム操作を割り当て、他方にはズーム操作以外の別の機能に割り当てる制御機能を具備したカメラを提供する。【選択図】図１
2012194399.tif 000002
【特許請求の範囲】
【請求項１】
撮影レンズの電動での光学ズーム動作が可能で電動ズーム操作を行うためのレンズ側ズーム操作手段を有する交換レンズが交換可能に装着され、前記交換レンズの前記電動ズーム操作を行うためのカメラ本体側ズーム操作手段を有するカメラ本体と、
前記交換レンズが前記カメラ本体に装着された場合、前記カメラ本体側ズーム操作手段と前記レンズ側ズーム操作手段の何れか一方に電動ズーム操作機能を割り当て、他方に前記電動ズーム操作の補助機能を割り当てる制御手段と、
を具備したことを特徴とするカメラシステム。
【請求項２】
請求項１に記載のカメラシステムにおいて、
前記制御手段は、前記カメラ本体側ズーム操作手段と前記レンズ側ズーム操作手段の何れか一方に前記電動ズーム操作機能を割り当て、他方にズーム駆動速度の変更機能を割り当てる
ことを特徴とするカメラシステム。
【請求項３】
請求項１に記載のカメラシステムにおいて、
前記制御手段は、前記カメラ本体側ズーム操作手段と前記レンズ側ズーム操作手段の何れか一方に前記電動ズーム操作機能を割り当て、他方に所定ズーム位置への自動駆動機能を割り当てる
ことを特徴とするカメラシステム。
【請求項４】
請求項１に記載のカメラシステムにおいて、
前記制御手段は、前記カメラ本体側ズーム操作手段と前記レンズ側ズーム操作手段の何れか一方に前記電動ズーム操作機能を割り当て、他方に露光間ズーム機能を割り当てる
ことを特徴とするカメラシステム。
【請求項５】
請求項１に記載のカメラシステムにおいて、
前記制御手段は、前記カメラ本体側ズーム操作手段と前記レンズ側ズーム操作手段の何れか一方に前記電動ズーム操作機能を割り当て、他方にフォーカスレンズ駆動機能、または、絞り駆動機能を割り当てる
ことを特徴とするカメラシステム。
【請求項６】
請求項３に記載のカメラシステムにおいて、
前記所定ズーム位置とは、交換レンズの望遠端、または、広角端である
ことを特徴とするカメラシステム。
【請求項７】
請求項３に記載のカメラシステムにおいて、
前記所定ズーム位置とは、予め固定設定されているズーム位置、または、撮影者により任意設定されたズーム位置である
ことを特徴とするカメラシステム。
【請求項８】
請求項３に記載のカメラシステムにおいて、
前記所定ズーム位置とは、予め固定設定されている撮影倍率に対応するズーム位置、または、撮影者により任意設定された撮影倍率に対応するズーム位置である
ことを特徴とするカメラシステム。
【請求項９】
交換レンズの電動ズーム操作を行うためのカメラ本体側ズーム操作手段をカメラ本体に具備したカメラシステムの制御プログラムにおいて、
撮影レンズの電動での光学ズーム動作が可能で前記電動ズーム操作を行うためのレンズ側ズーム操作手段を有する前記交換レンズの装着を検出する第１ステップと、
前記交換レンズの装着が検出された場合、前記カメラ本体側ズーム操作手段と前記レンズ側ズーム操作手段の何れか一方に電動ズーム操作機能を割り当て、他方に前記電動ズーム操作の補助機能を割り当てる第２ステップと、
をコンピュータに実行させることを特徴とするカメラシステムの制御プログラム。
【請求項１０】
請求項９に記載のカメラシステムの制御プログラムにおいて、
前記第２ステップでは、前記カメラ本体側ズーム操作手段と前記レンズ側ズーム操作手段の何れか一方に前記電動ズーム操作機能を割り当て、他方にズーム駆動速度の変更機能を割り当てる
ことを特徴とするカメラシステムの制御プログラム。
【請求項１１】
請求項９に記載のカメラシステムの制御プログラムにおいて、
前記カメラ本体側ズーム操作手段と前記レンズ側ズーム操作手段の何れか一方に前記電動ズーム操作機能を割り当て、他方に所定ズーム位置への自動駆動機能を割り当てる
ことを特徴とするカメラシステムの制御プログラム。
【請求項１２】
請求項９に記載のカメラシステムの制御プログラムにおいて、
前記第２ステップでは、前記カメラ本体側ズーム操作手段と前記レンズ側ズーム操作手段の何れか一方に前記電動ズーム操作機能を割り当て、他方に露光間ズーム機能を割り当てる
ことを特徴とするカメラシステムの制御プログラム。
【請求項１３】
請求項９に記載のカメラシステムの制御プログラムにおいて、
前記第２ステップでは、前記カメラ本体側ズーム操作手段と前記レンズ側ズーム操作手段の何れか一方に前記電動ズーム操作機能を割り当て、他方にフォーカスレンズ駆動機能、または、絞り駆動機能を割り当てる
ことを特徴とするカメラシステムの制御プログラム。
【請求項１４】
請求項１１に記載のカメラシステムの制御プログラムにおいて、
前記所定ズーム位置とは、交換レンズの望遠端、または、広角端である
ことを特徴とするカメラシステムの制御プログラム。
【請求項１５】
請求項１１に記載のカメラシステムの制御プログラムにおいて、
前記所定ズーム位置とは、予め固定設定されているズーム位置、または、撮影者により任意設定されたズーム位置である
ことを特徴とするカメラシステムの制御プログラム。
【請求項１６】
請求項１１に記載のカメラシステムの制御プログラムにおいて、
前記所定ズーム位置とは、予め固定設定されている撮影倍率に対応するズーム位置、または、撮影者により任意設定された撮影倍率に対応するズーム位置である
ことを特徴とするカメラシステムの制御プログラム。
【発明の詳細な説明】
【技術分野】
【０００１】
本発明は、カメラシステムおよびカメラシステムの制御プログラムに関する。
【背景技術】
【０００２】
従来、ビデオカメラと同様な動画撮影機能を有するデジタルスチルカメラが存在していたが、大部分は撮影レンズとカメラ本体が一体のタイプであり、撮影レンズが交換可能なタイプのカメラシステムで動画撮影が可能なものはあまり存在していなかった。
しかし、近年はレンズ交換式のデジタルスチルカメラにおいても、動画撮影機能を搭載する製品が急速に増大している。
動画撮影では通常、画像の記録と同時に録音も行われるので、撮影中に絞り、フォーカス、ズーム等を駆動させた場合、その駆動音が録音されてしまうという問題があり、絞りやフォーカスの駆動音を静音化したタイプの交換レンズが普及するようになってきている。
【０００３】
しかし、ズーム駆動については従来の交換レンズと同様に手動でズーム環を回転させるタイプがほとんどであり、ズーム環操作時の摺動音等が録音されてしまうことがあるため、今後はズーム操作時の騒音を低減できる釦操作等で電気的にズーム操作を行う、所謂電動ズームタイプの交換レンズも普及するようになると考えられる。
電動ズームタイプの交換レンズが普及した場合、電動ズーム操作を行うためのズーム釦等の操作部を有する交換レンズとカメラ本体が混在するようになる可能性が有り、このような交換レンズとカメラ本体を接続すると電動ズーム操作部が競合してシステム破綻が発生する懸念がある、という技術的課題がある。
【０００４】
このような技術的課題を解決する方法として、例えば、特許文献１には、電動ズーム操作部を有する電動ズーム式交換レンズが、電動ズーム操作部を有するカメラ本体に装着された場合は、カメラ本体の撮影モードがファインダを覗いて撮影を行うファインダ撮影モードか、カメラ本体の背面液晶等の表示モニタを見ながら撮影を行うモニタ撮影モードかに応じて、交換レンズかカメラ本体の何れか一方の電動ズーム操作部のみを有効にするという技術が開示されている。
【先行技術文献】
【特許文献】
【０００５】
【特許文献１】特開２００９−１２２３４０号公報
【発明の概要】
【発明が解決しようとする課題】
【０００６】
しかしながら、特許文献１に開示されているような技術の場合、交換レンズかカメラ本体の一方の電動ズーム操作部のみが有効となるため、他方の電動ズーム操作部は無効状態となり、カメラ操作に関与しない無意味な操作部になってしまうという技術的課題があった。
本発明の目的は、電動ズーム操作機能を有する交換レンズがカメラ本体に装着された場合の電動ズーム操作の競合等によるシステム破綻を防止すると共に、操作性よく多彩な撮影を可能とする技術を提供することにある。
【課題を解決するための手段】
【０００７】
本発明の第１の観点は、撮影レンズの電動での光学ズーム動作が可能で電動ズーム操作を行うためのレンズ側ズーム操作手段を有する交換レンズが交換可能に装着され、前記交換レンズの前記電動ズーム操作を行うためのカメラ本体側ズーム操作手段を有するカメラ本体と、
前記交換レンズが前記カメラ本体に装着された場合、前記カメラ本体側ズーム操作手段と前記レンズ側ズーム操作手段の何れか一方に電動ズーム操作機能を割り当て、他方に前記電動ズーム操作の補助機能を割り当てる制御手段と、
を具備したカメラシステムを提供する。
【０００８】
本発明の第２の観点は、交換レンズの電動ズーム操作を行うためのカメラ本体側ズーム操作手段をカメラ本体に具備したカメラシステムの制御プログラムにおいて、
撮影レンズの電動での光学ズーム動作が可能で前記電動ズーム操作を行うためのレンズ側ズーム操作手段を有する前記交換レンズの装着を検出する第１ステップと、
前記交換レンズの装着が検出された場合、前記カメラ本体側ズーム操作手段と前記レンズ側ズーム操作手段の何れか一方に電動ズーム操作機能を割り当て、他方に前記電動ズーム操作の補助機能を割り当てる第２ステップと、
をコンピュータに実行させるカメラシステムの制御プログラムを提供する。
【発明の効果】
【０００９】
本発明によれば、電動ズーム操作機能を有する交換レンズがカメラ本体に装着された場合の電動ズーム操作の競合等によるシステム破綻を防止すると共に、操作性よく多彩な撮影を可能とする技術を提供することができる。
【図面の簡単な説明】
【００１０】
【図１】本発明に係る交換レンズを装着したデジタルスチルカメラの概観図である。
【図２】本発明の一実施の形態に係る交換レンズ外観の一例を模式的に示した図である。
【図３】本発明の一実施の形態であるカメラの電気的な構成の一例を示すブロック図である。
【図４】本発明の実施の形態１に係るカメラのズーム駆動動作の一例を説明するための制御処理遷移図である。
【図５】本発明の実施の形態１に係るカメラのスチル撮影動作の一例を説明するためのフローチャートである。
【図６】本発明の実施の形態１に係るカメラのズーム駆動動作の一例を説明するためのフローチャートである。
【図７】本発明の実施の形態２に係るカメラのスチル撮影動作の一例を説明するためのフローチャートである。
【図８】本発明の実施の形態２に係るカメラのズーム駆動速度設定メニュー画面の一例を説明するための背面図である。
【図９Ａ】本発明の実施の形態２に係るカメラのプリセットズーム位置設定メニュー画面の一例を説明するための背面図である。
【図９Ｂ】本発明の実施の形態２に係るカメラのプリセットズーム位置設定メニュー画面の一例を説明するための背面図である。
【図１０】本発明の実施の形態３に係るカメラのスチル撮影動作の一例を説明するためのフローチャートである。
【図１１】本発明の実施の形態４に係るカメラのスチル撮影動作の一例を説明するためのフローチャートである。
【発明を実施するための形態】
【００１１】
本実施の形態の第１の態様は、撮影レンズを交換可能なカメラシステムにおいて、電動での光学ズーム動作が可能で電動ズーム操作を行うためのレンズズーム操作手段を有する交換レンズが、電動ズームを操作するためのカメラ本体ズーム操作手段を有するカメラ本体に装着された場合、カメラ本体ズーム操作手段、または、レンズズーム操作手段の何れか一方に本来の電動ズーム操作機能を割り当て、他方に電動ズーム操作の補助機能、通常の電動ズーム操作以外のズーム機能、または、ズーム操作以外の機能を割り当てることを特徴とするカメラシステムを提供する。
本実施の形態の第２の態様は、カメラ本体ズーム操作手段、または、レンズズーム操作手段の何れか一方に本来の電動ズーム操作機能を割り当て、他方にズーム駆動速度の変更機能を割り当てることを特徴とする第１の態様に記載のカメラシステムを提供する。
本実施の形態の第３の態様は、カメラ本体ズーム操作手段、または、レンズズーム操作手段の何れか一方に本来の電動ズーム操作機能を割り当て、他方に所定ズーム位置への自動駆動機能を割り当てることを特徴とする第１の態様に記載のカメラシステムを提供する。
本実施の形態の第４の態様は、所定ズーム位置とは、交換レンズの望遠端、または、広角端であることを特徴とする第３の態様に記載のカメラシステムを提供する。
本実施の形態の第５の態様は、所定ズーム位置とは、予め固定設定されているズーム位置、または、撮影者により任意設定されたズーム位置であることを特徴とする第３の態様に記載のカメラシステムを提供する。
本実施の形態の第６の態様は、所定ズーム位置とは、予め固定設定されている撮影倍率に対応するズーム位置、または、撮影者により任意設定された撮影倍率に対応するズーム位置であることを特徴とする第３の態様に記載のカメラシステムを提供する。
本実施の形態の第７の態様は、カメラ本体ズーム操作手段、または、レンズズーム操作手段の何れか一方に本来の電動ズーム操作機能を割り当て、他方に露光間ズーム機能を割り当てることを特徴とする第１の態様に記載のカメラシステムを提供する。
本実施の形態の第８の態様は、カメラ本体ズーム操作手段、または、レンズズーム操作手段の何れか一方に本来の電動ズーム操作機能を割り当て、他方にフォーカスレンズ駆動機能、または、絞り駆動機能を割り当てることを特徴とする第１の態様に記載のカメラシステムを提供する。
【００１２】
上述の各態様の技術によれば、電動ズーム操作部を有する電動ズームタイプの交換レンズが、電動ズーム操作部を有するカメラ本体に装着された場合のシステム破綻を防止することが可能で、操作性よく多彩な撮影を行うことができる交換レンズ、および、カメラシステムを提供することができる。
【００１３】
以下、図面を参照しながら、本発明の実施の形態について詳細に説明する。
なお、以下の各実施の形態の説明において、「電動」とは、電気的なエネルギーに限らず、超音波振動等の機械的なエネルギー等で動作するアクチュエータによってレンズ等の可動部に変位を与える技術を包含する概念である。
【００１４】
（実施の形態１）
図１は、本発明に係る交換レンズを装着したデジタルスチルカメラの概観図である。つまり、本実施の形態のカメラシステム１００は、一例として、カメラ本体１０１を備え、このカメラ本体１０１に対して着脱可能な交換レンズ２０１が装着されている。
【００１５】
カメラ本体１０１は、カメラ制御回路１０２、撮像素子１０３、フォーカルプレンシャッタ１０４、表示用モニタ１０５、ストロボ１０６、レリーズ釦１０７、バッテリー１０８、および、本体ズーム操作釦１０９（カメラ本体側ズーム操作手段）等を含んで構成されている。
本体ズーム操作釦１０９は、本体望遠釦１１０Ｔおよび本体広角釦１１０Ｗからなる。
カメラ制御回路１０２は、撮影者によるレリーズ釦１０７の操作に応じてレンズ制御回路２０２を通して交換レンズ２０１の各種駆動制御を行うと共に、撮像素子１０３、および、フォーカルプレンシャッタ１０４を制御し、必要があればストロボ１０６の発光制御も行って撮影動作を実行する。
【００１６】
また、カメラ制御回路１０２は、カメラシステム１００の各種動作に応じて表示用モニタ１０５の表示制御を行う。
撮像素子１０３はＣＣＤやＣＭＯＳセンサ等で構成され、交換レンズ２０１により撮像面に結像された被写体像を撮像する。
フォーカルプレンシャッタ１０４は撮影者によるレリーズ釦１０７の操作に応じて開閉動作を行って、撮像素子１０３の撮像面に対する露光動作を行う。
ストロボ１０６は図示しない発光用コンデンサに蓄えられた電荷によりフォーカルプレンシャッタ１０４での露光動作と同期して発光動作を行う。
表示用モニタ１０５は液晶や有機ＥＬ等で構成され、撮影待機時や動画撮影時のスルー画像表示や、撮影者による図示しない再生釦や各種設定釦の操作に応じて、再生画像や設定情報等の表示を行う。
【００１７】
また、本体ズーム操作釦１０９（本体望遠釦１１０Ｔ、本体広角釦１１０Ｗ）は撮影者が釦操作を行うことにより、カメラ制御回路１０２、レンズ制御回路２０２を介して交換レンズ２０１の焦点距離を電動で変更する機能を有している。
【００１８】
一方、交換レンズ２０１は、レンズ制御回路２０２、焦点調節レンズ２０３、ズームレンズ２０４、および、絞り２０５等を含んで構成されている。
レンズ制御回路２０２は、焦点調節レンズ２０３、ズームレンズ２０４、および、絞り２０５の駆動制御を行う。
また、焦点調節レンズ２０３は光軸方向に移動して交換レンズ２０１の焦点状態を調節し、ズームレンズ２０４は光軸方向に移動して交換レンズ２０１の焦点距離の変更を行う。
絞り２０５は開口面積を変化させてカメラ本体１０１に向かう方向に入射させる光量を調節する。
【００１９】
さらに、交換レンズ２０１は、撮影者が焦点距離の電動による変更操作を行うためのレンズズーム操作釦２０６（レンズ側ズーム操作手段）を備えている。このレンズズーム操作釦２０６は、レンズ望遠釦２０７Ｔおよびレンズ広角釦２０７Ｗからなる。
交換レンズ２０１は、レンズズーム操作釦２０６（レンズ望遠釦２０７Ｔ、レンズ広角釦２０７Ｗ）の操作により実行される動作を切換えるための操作モード変更レバー２０８を有している。
【００２０】
図２は、本発明の一実施の形態に係る交換レンズ外観の一例を模式的に示した図である。
上述のように交換レンズ２０１は側面にレンズズーム操作釦２０６（レンズ望遠釦２０７Ｔ、レンズ広角釦２０７Ｗ）を有しており、撮影者が釦操作を行うことで交換レンズ２０１の電動ズーム操作を行うことができる。
【００２１】
また、この図２の例では操作モード変更レバー２０８のポジションを切換えることで、レンズズーム操作釦２０６（レンズ望遠釦２０７Ｔ、レンズ広角釦２０７Ｗ）による操作を電動ズーム（ＺＭ）から、電動マニュアルフォーカス（ＰＦ）、電動絞り操作（ＡＶ）に変更することができる。
【００２２】
例えば、操作モード変更レバー２０８のポジションが基本位置のＺＭである場合は、レンズ望遠釦２０７Ｔを押すと交換レンズ２０１のズームレンズ２０４が望遠側に移動し、レンズ広角釦２０７Ｗを押すと広角側に移動する。
【００２３】
操作モード変更レバー２０８を時計回りに回転させてポジションをＰＦにセットした場合は電動マニュアルフォーカス（パワーフォーカス）モードとなり、レンズ望遠釦２０７Ｔを押すと交換レンズ２０１の焦点調節レンズ２０３が無限遠側に移動し、レンズ広角釦２０７Ｗを押すと至近側に移動する。
【００２４】
また、操作モード変更レバー２０８を反時計回りに回転させてポジションをＡＶにセットした場合は電動絞り操作モードとなり、レンズ望遠釦２０７Ｔを押すと交換レンズ２０１の絞り２０５が絞り込まれ、レンズ広角釦２０７Ｗを押すと開放側に開かれる。
【００２５】
交換レンズ２０１の操作系については上記の例示に限るものではなく、レンズズーム操作釦２０６（レンズ望遠釦２０７Ｔ、レンズ広角釦２０７Ｗ）は一体型のレバータイプ、レンズの外周に沿ったリング形状タイプ、タッチパネル等でもよい。
操作モード変更レバー２０８に関しても、スライド式、独立釦式等の他のタイプのスイッチでもよい。
【００２６】
また、操作モードについても上記のＺＭ、ＰＦ、ＡＶの３モードに限定されるものではなく、手ブレ補正モード等の他モードが含まれていてもよい。
上記のような本実施の形態のカメラシステム１００の電気的な構成について図３を参照して説明する。図３は、本実施の形態のカメラの電気的な構成の一例を示すブロック図である。
【００２７】
まず、カメラ本体１０１に関する構成について説明する。カメラ本体１０１の内部は、カメラシステム１００全体の制御を司る本体ＣＰＵ１２１を含んで構成されている。
【００２８】
そして、この本体ＣＰＵ１２１には、レンズＣＰＵ２２１と通信回路２３１を介して通信するための通信ライン２３２、本体ＣＰＵ１２１の制御プログラム１３５（制御手段）などが格納されているフラッシュＲＯＭ等の不揮発性メモリ１２２（ＦＲＯＭ）、本体ＣＰＵ１２１の各種情報を一時格納するＲＡＭ等のメモリ１２３が接続されている。
本実施の形態の場合、本体ＣＰＵ１２１が制御プログラム１３５を実行することにより、後述の状態遷移図や各フローチャートに例示される制御動作を実現する。
【００２９】
さらに、本体ＣＰＵ１２１には、画像データを得るために撮像素子１０３を制御する撮像素子制御回路１２４、撮像素子１０３から出力される画像信号にＡ／Ｄ変換やフィルタ処理等の画像処理を施して撮影画像として記憶する画像データ生成や、焦点検出領域内の画像データから高周波成分をハイパスフィルタ処理により抽出してＡＦ（オートフォーカス）評価値を算出する等の処理を行う画像処理回路１２５が接続されている。
【００３０】
さらに、本体ＣＰＵ１２１には、フォーカルプレンシャッタ１０４を制御するシャッタ制御回路１２６、撮影した画像や各種撮影情報を表示用モニタ１０５に表示するための表示回路１２７、ストロボ１０６を制御するストロボ制御回路１２８、各種操作スイッチ状態を検出する本体操作スイッチ検出回路１２９、装填されたバッテリー１０８の電圧の平滑化や昇圧等を行ってカメラシステム１００に電源を供給するための電源回路１３４が接続されている。
【００３１】
本体操作スイッチ検出回路１２９には、撮影者が操作するカメラ本体１０１の各種操作スイッチ、例えば、カメラシステム１００の撮影モードを切り替える図示しない切り替えスイッチや、レリーズ釦１０７の操作によって動作するレリーズスイッチ、本体ズーム操作釦１０９（本体望遠釦１１０Ｔ、本体広角釦１１０Ｗ）の操作によって動作する本体望遠スイッチ１３２、本体広角スイッチ１３３等が接続されている。
【００３２】
本実施の形態におけるレリーズスイッチは、一般的な２段階スイッチになっており、本体ＣＰＵ１２１は本体操作スイッチ検出回路１２９により検出される各スイッチの状態に応じた動作制御を実行する。
【００３３】
つまり、レリーズ釦の半押しで第１レリーズスイッチ１３０（以下、１Ｒスイッチと称する）がオン状態となると焦点検出や測光が行われ、交換レンズ２０１の焦点調節レンズ２０３が駆動されて合焦状態になる。更に、レリーズ釦の全押しで第２レリーズスイッチ１３１（以下、２Ｒスイッチと称する）がオンとなると、フォーカルプレンシャッタ１０４が駆動されて露光が行われる。
【００３４】
また、本実施の形態における２つのズームスイッチは、それぞれ独立のプッシュスイッチになっており、本体ＣＰＵ１２１は本体操作スイッチ検出回路１２９により検出される各スイッチの状態に応じた動作制御を実行する。
つまり、本体望遠釦１１０Ｔが押されて本体望遠スイッチ１３２がオン状態となった場合は交換レンズ２０１のズームレンズ２０４が望遠側に駆動され、本体広角釦１１０Ｗが押されて本体広角スイッチ１３３がオン状態となった場合はズームレンズ２０４が広角側に駆動される。
【００３５】
次に、交換レンズ２０１に関する構成について説明する。交換レンズ２０１の内部は、焦点調節レンズ２０３、ズームレンズ２０４、絞り２０５、および、交換レンズ２０１の各種制御を司るレンズＣＰＵ２２１を含んで構成されている。
そして、このレンズＣＰＵ２２１には、レンズ位置検出回路２２３、レンズ駆動回路２２２、ズーム位置検出回路２２５、ズーム駆動回路２２４、絞り駆動回路２２６、各種操作スイッチ状態を検出するレンズ操作スイッチ検出回路２２７、および、通信回路２３１が接続されている。
【００３６】
レンズＣＰＵ２２１はレンズ駆動や絞り駆動等の各種駆動制御を行うと共に、通信回路２３１を介してカメラ本体１０１の本体ＣＰＵ１２１と通信を行い、動作命令の受信、交換レンズ２０１のレンズ動作状態や光学データ等の送信を行う。このため、通信回路２３１の通信接続端子は交換レンズ２０１の外部に設けられている。
【００３７】
焦点調節レンズ２０３はレンズＣＰＵ２２１が本体ＣＰＵ１２１からの焦点調節レンズ駆動命令を受信するか、あるいは、操作モード変更スイッチ２３０の設定が電動マニュアルフォーカスモード時にレンズズーム操作釦２０６（レンズ望遠釦２０７Ｔ、レンズ広角釦２０７Ｗ）の操作によりレンズ望遠スイッチ２２８、レンズ広角スイッチ２２９の何れかがオンされると、ステッピングモータ等のアクチュエータやモータドライバ等を含んで構成されるレンズ駆動回路２２２により駆動され、交換レンズ２０１の焦点位置を変更する。
【００３８】
レンズ駆動回路２２２によって駆動された焦点調節レンズ２０３の位置は、レンズ位置検出回路２２３によって検出される。このレンズ位置検出回路２２３は、例えば、レンズ駆動回路２２２に含まれる駆動用モータの回転量をパルス数に変換して検出するフォトインタラプタ（ＰＩ）回路などを含んで構成されている。このフォトインタラプタ回路では、焦点調節レンズ２０３からの絶対位置が、無限端等の所定の基準位置からのパルス数で表される。
レンズＣＰＵ２２１はレンズ位置検出回路２２３によって検出されたレンズ位置情報に基づいて、レンズ駆動回路２２２による焦点調節レンズ２０３の駆動制御を行う。
【００３９】
ズームレンズ２０４はレンズＣＰＵ２２１が本体ＣＰＵ１２１からのズームレンズ駆動命令を受信するか、あるいは、操作モード変更スイッチ２３０の設定が電動ズームモード時にレンズズーム操作釦２０６（レンズ望遠釦２０７Ｔ、レンズ広角釦２０７Ｗ）の操作によりレンズ望遠スイッチ２２８、レンズ広角スイッチ２２９の何れかがオンされると、ステッピングモータ等のアクチュエータやモータドライバ等を含んで構成されるズーム駆動回路２２４により駆動され、交換レンズ２０１の焦点距離を変更する。
【００４０】
駆動されたズームレンズ２０４の位置は、ズーム位置検出回路２２５によって検出される。このズーム位置検出回路２２５は、例えば、リニアエンコーダやＡ／Ｄ変換回路等を含んで構成されており、エンコーダ値のＡ／Ｄ変換結果に基づいて位置検出を行う。レンズＣＰＵ２２１はズーム位置検出回路２２５によって検出されたズームレンズ２０４の位置情報に基づいて、ズーム駆動回路２２４によるズームレンズ２０４の駆動制御を行う。
【００４１】
絞り２０５はカメラ本体１０１に向かう方向に入射する光の光量を調節するための開口部を含んで構成される。レンズＣＰＵ２２１が通信回路２３１を介して本体ＣＰＵ１２１からの絞り駆動命令を受信するか、あるいは、操作モード変更スイッチ２３０の設定が電動絞りモード時にレンズズーム操作釦２０６（レンズ望遠釦２０７Ｔ、レンズ広角釦２０７Ｗ）の操作によりレンズ望遠スイッチ２２８、レンズ広角スイッチ２２９の何れかがオンされると、ステッピングモータ等のアクチュエータやモータドライバ等を含んで構成される絞り駆動回路２２６により駆動され、絞り２０５の開口部の大きさを変化させる。
【００４２】
レンズ操作スイッチ検出回路２２７には、撮影者が操作する交換レンズ２０１の各種操作スイッチ、例えば、レンズズーム操作釦２０６（レンズ望遠釦２０７Ｔ、レンズ広角釦２０７Ｗ）の操作によって動作するレンズ望遠スイッチ２２８、レンズ広角スイッチ２２９、操作モード変更レバー２０８の操作によって動作する操作モード変更スイッチ２３０等が接続されている。
【００４３】
本実施の形態におけるレンズ望遠スイッチ２２８、レンズ広角スイッチ２２９はそれぞれ独立のプッシュスイッチになっており、レンズＣＰＵ２２１はレンズ操作スイッチ検出回路２２７により検出される各スイッチの状態に応じた動作制御を実行する。
例えば、操作モード変更スイッチ２３０の設定が電動ズームモード時に、レンズ望遠釦２０７Ｔが押されてレンズ望遠スイッチ２２８がオン状態となった場合はズームレンズ２０４が望遠側に駆動され、レンズ広角釦２０７Ｗが押されてレンズ広角スイッチ２２９がオン状態となった場合はズームレンズ２０４が広角側に駆動される。
【００４４】
また、本実施の形態における操作モード変更スイッチ２３０は、３状態の回動スイッチになっている。つまり、操作モード変更レバー２０８を回転させてポジション変更することで、レンズズーム操作釦２０６（レンズ望遠釦２０７Ｔ、レンズ広角釦２０７Ｗ）の操作で実行される動作を、上述のように電動ズーム（ＺＭ）、電動マニュアルフォーカス（ＰＦ）、電動絞り操作（ＡＶ）の中から選択できる。
【００４５】
レンズＣＰＵ２２１はレンズ操作スイッチ検出回路２２７により上記のスイッチの状態を検出し、設定モードに応じた動作制御を実行する。
【００４６】
次に、図４の制御処理遷移図、図５および図６のフローチャートを参照して、本実施の形態１に係る上述の交換レンズとカメラ本体を接続した場合のカメラにおけるスチル撮影動作の一例に関して以下で説明する。
図４は、本発明に係るカメラのズーム駆動動作の一例を説明するための制御処理遷移図である。
カメラ本体１０１内の制御動作は、次の４つの状態を遷移する。
（ボディ側状態Ｂ１）：
カメラ本体１０１の電源スイッチがオンされるとカメラ本体１０１内部の制御システムを初期化する。
【００４７】
（ボディ側状態Ｂ２）：
カメラ本体１０１はレンズ識別データを取得して装着されている交換レンズ２０１の種別を確認し、本発明に係る電動ズーム対応で電動ズーム操作部材を装備しているレンズである場合は、レンズズーム操作釦２０６（レンズ望遠釦２０７Ｔ、レンズ広角釦２０７Ｗ）の操作による通常の電動ズーム動作を禁止した後、同期通信モードに移行する。
【００４８】
（ボディ側状態Ｂ３）：
同期通信でレンズ状態データを取得し、取得したデータに基づいて交換レンズ２０１のフォーカス制御等を判断する（図４中では簡単のためボディ側状態Ｂ３のタイミングでのみレンズ状態データの取得を行うようになっているが、実際は、例えば、同期信号周期でレンズ状態データを取得し、その都度実行すべき制御動作を判断する）。
【００４９】
（ボディ側状態Ｂ４）：
カメラ本体１０１の本体ズーム操作釦１０９（本体望遠釦１１０Ｔ、本体広角釦１１０Ｗ）が操作され、本体望遠スイッチ１３２、または、本体広角スイッチ１３３がオン状態となった場合は交換レンズ２０１にズーム駆動開始を要求し、本体望遠スイッチ１３２、または、本体広角スイッチ１３３がオン状態からオフ状態に変化した場合はズーム駆動停止を要求する。
【００５０】
一方、本実施の形態における交換レンズ２０１内の制御動作は、以下の７つの状態を遷移する。
（レンズ側状態Ｌ１）：
交換レンズ２０１はマウント接点から電源が供給されると交換レンズ２０１内部のシステムを初期化する。
【００５１】
（レンズ側状態Ｌ２）：
交換レンズ２０１はカメラ本体１０１から要求されたレンズ識別データを記憶しているレンズデータから抽出し、本実施の形態のカメラシステム１００で規定されている所定のフォーマットに変換して通信回路２３１の送信バッファに格納する。
【００５２】
（レンズ側状態Ｌ３）：
交換レンズ２０１はカメラ本体１０１からの要求に応じて、レンズズーム操作釦２０６（レンズ望遠釦２０７Ｔ、レンズ広角釦２０７Ｗ）の操作による通常の電動ズーム動作を禁止する。本実施では、カメラ本体１０１の本体ズーム操作釦１０９（本体望遠釦１１０Ｔ、本体広角釦１１０Ｗ）の操作による通常の電動ズーム中に、レンズズーム操作釦２０６（レンズ望遠釦２０７Ｔ、レンズ広角釦２０７Ｗ）の操作でズーミング速度の変更を実行するように設定される
【００５３】
（レンズ側状態Ｌ４）：
交換レンズ２０１はカメラ本体１０１からの同期通信開始要求に応じて、同期通信モード対応設定を行う。
【００５４】
（レンズ側状態Ｌ５）：
交換レンズ２０１はカメラ本体１０１からのレンズ状態データ要求に応じて、現在のレンズ状態を所定のフォーマットに変換して通信回路２３１の送信バッファに格納する。
【００５５】
（レンズ側状態Ｌ６）：
交換レンズ２０１はカメラ本体１０１からのズーム駆動開始要求に応じて、指定された方向にズーム駆動を開始し、ズーム駆動停止要求に応じて、ズーム駆動を停止させる。
【００５６】
（レンズ側状態Ｌ７）：
交換レンズ２０１はカメラ本体１０１からのズーム駆動開始要求によるズーム駆動中に、レンズズーム操作釦２０６（レンズ望遠釦２０７Ｔ、レンズ広角釦２０７Ｗ）の操作によりレンズ望遠スイッチ２２８がオン状態となった場合はズーム駆動速度を増速し、レンズ広角スイッチ２２９がオン状態となった場合は減速を行う。
【００５７】
レンズ望遠スイッチ２２８、または、レンズ広角スイッチ２２９がオン状態からオフ状態に変化した場合は、ズーム駆動速度を元の標準速度に戻す。
【００５８】
本実施の形態のカメラ本体１０１と交換レンズ２０１との間の制御動作の状態の関係は、一例として以下の通りである。
上述のカメラ本体１０１と交換レンズ２０１の各制御状態は、一例として、以下のように相互に情報を授受することで連携して遷移する。
【００５９】
（ボディ側出力Ｂ１−１）：
マウント接点を介してカメラ本体１０１から交換レンズ２０１に電源が供給される。
（ボディ側出力Ｂ２−１）：
カメラ本体１０１は本実施の形態のカメラシステム１００で規定されているシリアル通信等の所定の通信プロトコルに基づくレンズ識別データ要求コマンドを交換レンズ２０１に送信し、レンズ種別データの送信を要求する。
【００６０】
（レンズ側出力Ｌ２−１）：
交換レンズ２０１は受信したレンズ識別データ要求コマンドの要求に応じて、レンズ識別データをカメラ本体１０１に送信する。
【００６１】
（ボディ側出力Ｂ２−２）：
カメラ本体１０１は操作部動作制限コマンドを送信し、交換レンズ２０１のレンズズーム操作釦２０６（レンズ望遠釦２０７Ｔ、レンズ広角釦２０７Ｗ）の操作による通常の電動ズーム動作の禁止要求を行う。
（ボディ側出力Ｂ２−３）：
カメラ本体１０１は交換レンズ２０１に同期通信開始コマンドを送信して同期通信モードを開始する。
【００６２】
（ボディ側出力Ｂ３−１）：
カメラ本体１０１は同期信号を基準として定期的にレンズ状態データ要求コマンドを送信する。
【００６３】
（レンズ側出力Ｌ５−１）：
交換レンズ２０１は受信したレンズ状態データ要求コマンドの要求に応じて、レンズ状態データをカメラ本体１０１に送信する。
【００６４】
（ボディ側出力Ｂ４−１）：
カメラ本体１０１はズーム駆動開始コマンドを交換レンズ２０１に送信し、ズームの駆動開始を要求する。
（ボディ側出力Ｂ４−２）：
カメラ本体１０１はズーム駆動停止コマンドを交換レンズ２０１に送信し、ズームの駆動停止を要求する。
【００６５】
以上の連携動作を要約すると以下のようになる。この場合、レンズズーム操作釦２０６は、ズーム速度の加減速に割り当てられている。
電源投入により、カメラ本体１０１と交換レンズ２０１の内部初期化が行われる（Ｂ１、Ｂ１−１、Ｌ１）。
次に、レンズ識別データに応じてレンズ動作条件設定が行われる（Ｂ２、Ｌ２〜Ｌ４）。
すなわち、まずレンズ識別データの取得を実行する（Ｂ２、Ｂ２−１、Ｌ２、Ｌ２−１）。
【００６６】
次に、交換レンズ２０１がズーム操作部付きの電動ズームの場合には、レンズ側のズーム操作部単独でのズーム動作を禁止し、ズーム中の加減速機能を割り当てる（Ｂ２−２、Ｌ３）。
さらに、同期通信モードにモード設定される（Ｂ２−３、Ｌ４）。
その後、同期周波数に応じた所定周期でレンズ状態通信が実行される（Ｂ３、Ｂ３−１、Ｌ５、Ｌ５−１）。
カメラ本体１０１側の本体ズーム操作釦１０９がＯＮされた場合は、本体望遠釦１１０Ｔ、本体広角釦１１０Ｗのいずれが操作されたかによって望遠側、広角側にズーム駆動を行う（Ｂ４、Ｂ４−１、Ｌ６）。
【００６７】
ズーム駆動中に、交換レンズ２０１のレンズズーム操作釦２０６がＯＮになった場合、レンズ望遠釦２０７Ｔ、レンズ広角釦２０７Ｗのいずれが操作されたかによって、ズーム速度の加減速を行い、ＯＦＦされた場合は加減速を停止して元の速度に戻す（Ｌ７）。
【００６８】
カメラ本体１０１側の本体ズーム操作釦１０９がＯＦＦされた場合には、ズーム駆動を停止する（Ｂ４−２）。
【００６９】
図５は、本発明の実施の形態１に係るカメラのスチル撮影動作の一例を説明するためのフローチャートである。
【００７０】
（ステップＳ１０１）：
カメラ本体１０１の電源がオンされると、本体ＣＰＵ１２１は交換レンズ２０１が装着されているかどうかを、本体操作スイッチ検出回路１２９で図示しないマウントスイッチ状態を検出することにより判断し、装着されている場合にはステップＳ１０２に進み、装着されていない場合は装着されるまで定期的な装着検出を行うなどの待機動作を行う。
待機中に撮影者により撮影パラメータの変更操作や過去に撮影した画像の再生操作等が行われた場合は、指示された動作を実行する。
【００７１】
（ステップＳ１０２）：
交換レンズ２０１が装着されると本体ＣＰＵ１２１は通信回路２３１、通信ライン２３２を介してレンズＣＰＵ２２１と通信を行い、交換レンズ２０１の機種情報や光学データ等を取得してメモリ１２３に記憶する。
【００７２】
交換レンズ２０１が本実施の形態に係る電動ズーム対応で電動ズーム操作部材を装備しているレンズである場合はレンズＣＰＵ２２１と通信を行い、レンズズーム操作釦２０６（レンズ望遠釦２０７Ｔ、レンズ広角釦２０７Ｗ）の操作による通常の電動ズーム動作を禁止する。
【００７３】
上記のような初期設定等を実行後、本体ＣＰＵ１２１はレンズＣＰＵ２２１と同期通信を開始して同期通信モードに移行し、以後、定期的にレンズ状態データを取得してレンズ状態に応じた制御動作を実行する。
【００７４】
（ステップＳ１０３）：
本体ＣＰＵ１２１は撮像素子制御回路１２４を動作させて撮像素子１０３から画像データを取得し、画像処理回路１２５でスルー画表示（いわゆるライブビュー表示）用の画像処理を施して、表示回路１２７により表示用モニタ１０５にスルー画の表示を開始する。
【００７５】
（ステップＳ１０４）：
本体ＣＰＵ１２１は本体操作スイッチ検出回路１２９で図示しないマウントスイッチ状態を検出することにより、交換レンズ２０１が装着されているかどうかの検出を行い、装着されている場合にはステップＳ１０５に進み、交換レンズ２０１が取り外された場合にはステップＳ１０１に戻る。
【００７６】
（ステップＳ１０５）：
カメラ本体１０１の電源がオンされているかどうかを確認し、オンされている場合にはステップＳ１０６に進み、オフされた場合にはステップＳ１１４に進む。
【００７７】
（ステップＳ１０６）：
本体ＣＰＵ１２１は本体操作スイッチ検出回路１２９により本体望遠スイッチ１３２、本体広角スイッチ１３３の状態を検出し、カメラ本体１０１の本体ズーム操作釦１０９（本体望遠釦１１０Ｔ、本体広角釦１１０Ｗ）が操作されて何れかがオン状態になったことが検出された場合にはステップＳ１０７に進み、共にオフ状態である場合にはステップＳ１０８に進む。
【００７８】
（ステップＳ１０７）：
本体ＣＰＵ１２１は通信回路２３１、通信ライン２３２を介してレンズＣＰＵ２２１と通信を行い、ズーム駆動を実行させる。ズーム駆動動作の詳細については、後述の図６で説明する。
【００７９】
（ステップＳ１０８）：
１Ｒスイッチ１３０がオン状態になったことが本体操作スイッチ検出回路１２９で検出された場合にはステップＳ１０９に進み、オフ状態である場合にはステップＳ１０４に戻る。
【００８０】
（ステップＳ１０９）：
本体ＣＰＵ１２１は通信回路２３１、通信ライン２３２を介してレンズＣＰＵ２２１と通信を行い、レンズ位置検出回路２２３、レンズ駆動回路２２２により焦点調節レンズ２０３の駆動制御を実行させると共に、撮像素子制御回路１２４により撮像素子１０３を制御して撮像を行い、撮像素子１０３から出力される撮像信号から画像処理回路１２５で撮像信号の高周波成分をＡＦ評価値として抽出することにより、いわゆる山登りＡＦを実行して焦点調節レンズ２０３を合焦位置に駆動する。
【００８１】
また、ＡＦ動作と並行して測光、露出演算等の撮影に必要な他の動作も実行される。
（ステップＳ１１０）：
１Ｒスイッチ１３０がオン状態であるかどうかを本体操作スイッチ検出回路１２９により確認し、オン状態の場合にはステップＳ１１１に進み、オフ状態である場合にはステップＳ１０４に戻る。
【００８２】
（ステップＳ１１１）：
２Ｒスイッチ１３１がオン状態になったことが本体操作スイッチ検出回路１２９で検出された場合にはステップＳ１１２に進み、オフ状態である場合にはステップＳ１１０に戻る。
【００８３】
（ステップＳ１１２）：
ステップＳ１０９での露出演算結果に基づいて、本体ＣＰＵ１２１は通信回路２３１、通信ライン２３２を介してレンズＣＰＵ２２１と通信を行い、絞り駆動回路２２６により絞り２０５の駆動制御を実行させると共に、撮像素子制御回路１２４、シャッタ制御回路１２６により撮像素子１０３、フォーカルプレンシャッタ１０４を制御して撮像を行い、撮像素子１０３から出力される撮像信号を画像処理回路１２５で画像データに変換する。
【００８４】
（ステップＳ１１３）：
ステップＳ１１２で取得した画像データをカメラ本体１０１内のメモリ１２３や、コンパクトフラッシュ（登録商標）等外部メディアに記憶してステップＳ１０４に戻り、撮影待機状態に移行する。
（ステップＳ１１４）：
各種データの退避、リセット動作、電源系統の切断処理等の所定の終了処理を実行する。
【００８５】
図６は、本発明の実施の形態１に係るカメラのズーム駆動動作の一例を説明するためのフローチャートである。
【００８６】
（ステップＳ１２１）：
本体ＣＰＵ１２１は本体操作スイッチ検出回路１２９により本体望遠スイッチ１３２、本体広角スイッチ１３３のどちらがオン状態であるかどうかを判断し、本体望遠スイッチ１３２（本体望遠釦１１０Ｔ）がオン状態である場合はステップＳ１２２に進み、本体広角スイッチ１３３（本体広角釦１１０Ｗ）がオン状態である場合はステップＳ１２３に進む。
【００８７】
（ステップＳ１２２）：
本体望遠釦１１０Ｔがオンの場合、本体ＣＰＵ１２１は通信回路２３１、通信ライン２３２を介してレンズＣＰＵ２２１と通信を行い、望遠側へのズーム駆動を指示する。
【００８８】
（ステップＳ１２４）：
レンズＣＰＵ２２１はズーム位置検出回路２２５により現在のズームレンズ２０４の位置を検出し、現在位置が望遠端である場合はズーム駆動を開始せずにリターン（終了）し、現在位置が望遠端でない場合はステップＳ１２６に進む。
【００８９】
（ステップＳ１２６）：
ステップＳ１２４で現在位置が望遠端でないと判断された場合には、レンズＣＰＵ２２１はズーム位置検出回路２２５、ズーム駆動回路２２４により望遠側へのズーム駆動制御を開始する。
【００９０】
（ステップＳ１２３）：
一方、上述のステップＳ１２１で本体広角釦１１０Ｗがオン（ＮＯ）の場合には、本体ＣＰＵ１２１は通信回路２３１、通信ライン２３２を介してレンズＣＰＵ２２１と通信を行い、広角側へのズーム駆動を指示する。
【００９１】
（ステップＳ１２５）：
本体広角釦１１０Ｗがオンの場合、レンズＣＰＵ２２１はズーム位置検出回路２２５により現在のズームレンズ２０４の位置を検出し、現在位置が広角端である場合はズーム駆動を開始せずにリターン（終了）し、現在位置が広角端でない場合はステップＳ１２７に進む。
【００９２】
（ステップＳ１２７）：
ステップＳ１２５で現在位置が広角端でないと判断された場合は、レンズＣＰＵ２２１はズーム位置検出回路２２５、ズーム駆動回路２２４により広角側へのズーム駆動制御を開始する。そして、ステップＳ１２８に移行する。
【００９３】
（ステップＳ１２８）：
レンズＣＰＵ２２１はレンズ操作スイッチ検出回路２２７により操作モード変更スイッチ２３０の設定が電動ズームモードであるかどうかを判断し、電動ズームモードである場合はステップＳ１２９に進み、電動ズームモード以外である場合はステップＳ１３１に進む。
【００９４】
（ステップＳ１２９）：
電動ズームモードである場合には、レンズＣＰＵ２２１はレンズ操作スイッチ検出回路２２７によりレンズ望遠スイッチ２２８（レンズ望遠釦２０７Ｔ）がオン状態であるかどうかを判断し、オフ状態である場合はステップＳ１３０に進み、オン状態である場合はステップＳ１３３に進む。
【００９５】
（ステップＳ１３０）：
ステップＳ１２９でレンズ望遠釦２０７Ｔがオフと判断された場合、レンズＣＰＵ２２１はレンズ操作スイッチ検出回路２２７によりレンズ広角スイッチ２２９（レンズ広角釦２０７Ｗ）がオン状態であるかどうかを判断し、オフ状態である場合はステップＳ１３１に進み、オン状態である場合はステップＳ１３２に進む。
【００９６】
（ステップＳ１３１）：
上述のステップＳ１２８で電動ズームモードでないと判断され場合、または、レンズ望遠釦２０７Ｔおよびレンズ広角釦２０７Ｗがともにオフと判定された場合には、レンズＣＰＵ２２１はズーム駆動速度が通常速度である場合は現状のズーム駆動状態を維持し、ズーム駆動速度が増速、または、減速状態である場合は通常速度に戻すようにズーム駆動回路２２４を制御する。
【００９７】
（ステップＳ１３２）：
ステップＳ１３０でレンズ広角釦２０７Ｗがオンと判断された場合、レンズＣＰＵ２２１はズーム駆動速度が通常速度、または、増速状態である場合は通常速度よりも遅く、例えば、通常速度の１／２倍になるようにズーム駆動回路２２４を制御し、既に減速状態である場合は現状のズーム駆動状態を維持する。
【００９８】
（ステップＳ１３３）：
ステップＳ１２９でレンズ望遠釦２０７Ｔがオンと判断された場合、レンズＣＰＵ２２１はズーム駆動速度が通常速度、または、減速状態である場合は通常速度よりも速く、例えば、通常速度の２倍になるようにズーム駆動回路２２４を制御し、既に増速状態である場合は現状のズーム駆動状態を維持する。
【００９９】
（ステップＳ１３４）：
レンズＣＰＵ２２１はズーム位置検出回路２２５により現在のズームレンズ２０４の位置を検出し、現在位置が望遠方向駆動時に望遠端、または、広角方向駆動時に広角端である場合はステップＳ１３７に進み、上記以外の場合はステップＳ１３５に進む。
【０１００】
（ステップＳ１３５）：
ステップＳ１３４で現在位置が望遠端および広角端のいずれでもないと判断された場合、本体ＣＰＵ１２１は本体操作スイッチ検出回路１２９により本体望遠スイッチ１３２、本体広角スイッチ１３３のうち、現在のズーム駆動開始時のオン状態であったスイッチのオン状態が継続しているかどうかを判断し、オフ状態に変化している場合はステップＳ１３６に進み、オン状態が継続している場合はステップＳ１２８に戻る。
【０１０１】
（ステップＳ１３６）：
ステップＳ１３５で本体ズーム操作釦１０９がオフと判断された場合、本体ＣＰＵ１２１は通信回路２３１、通信ライン２３２を介してレンズＣＰＵ２２１と通信を行い、ズーム駆動の停止を指示する。
（ステップＳ１３７）：
本体ＣＰＵ１２１からズーム駆動停止の指示を受けたレンズＣＰＵ２２１はズーム駆動回路２２４によりズーム駆動を停止させ、リターンする。
【０１０２】
本実施の形態では電動ズーム操作部を有する電動ズームタイプの交換レンズ２０１が、電動ズーム操作部を有するカメラ本体１０１に装着された場合、カメラ本体１０１側のズーム操作部である本体ズーム操作釦１０９に通常のズーム操作機能を割り当て、交換レンズ２０１側のズーム操作部であるレンズズーム操作釦２０６にズーム速度の変更機能を割り当てるようにしているが、カメラ本体１０１と交換レンズ２０１に割り当てる機能を逆にしてもよい。
【０１０３】
また、本実施の形態ではスチル撮影時のズーム操作について説明したが、動画撮影中に同様の動作を行うようにしてもよい。
通常の動画撮影ではズーム駆動音が録音されてしまうのを防止するためや、滑らかに画角を変化させて高品位な映像を撮影するために、スチル撮影時と比較して低速でズーム駆動を行うようにしている。
【０１０４】
その場合、交換レンズ２０１とカメラ本体１０１のそれぞれのズーム操作部（レンズズーム操作釦２０６および本体ズーム操作釦１０９）の同時操作による高速ズーム駆動を行う場合には、静音や品位よりもズーム駆動速度を重視してスチル撮影時と同等の高速ズーム駆動を行うようにしてもよい。
【０１０５】
以上で説明したように本実施の形態１によれば、電動ズーム操作部としてのレンズズーム操作釦２０６を有する電動ズームタイプの交換レンズ２０１が、電動ズーム操作部としての本体ズーム操作釦１０９を有するカメラ本体１０１に装着された場合、通常のズーム動作は一方のズーム操作部（本体ズーム操作釦１０９またはレンズズーム操作釦２０６）のみを有効とし、他方のズーム操作部（本体ズーム操作釦１０９またはレンズズーム操作釦２０６）には、例えば、ズーム速度の変更機能を割り当てるようにする。
【０１０６】
これにより、カメラ本体１０１と交換レンズ２０１の操作部の不整合等に起因するシステム破綻を防止することが可能となるとともに、冗長となった操作部（この場合、レンズズーム操作釦２０６）にズーム操作機能以外の別の機能を割り当てることで、ズーム機能の多彩化を図ることができる。
【０１０７】
（実施の形態２）
図７は、本発明の実施の形態２に係るカメラのスチル撮影動作の一例を説明するためのフローチャートである。
図８は、本発明の実施の形態２に係るカメラのズーム駆動速度設定メニュー画面の一例を説明するための背面図である。
図９Ａおよび図９Ｂは、本発明の実施の形態２に係るカメラのプリセットズーム位置設定メニュー画面の一例を説明するための背面図である。
【０１０８】
本実施の形態２と上述の実施の形態１との相違点は、レンズズーム操作釦２０６を備えた交換レンズ２０１がカメラ本体１０１に接続された場合、交換レンズ２０１のレンズズーム操作釦２０６（レンズ望遠釦２０７Ｔ、レンズ広角釦２０７Ｗ）が操作された際の動作として、使用頻度の高い望遠端、または、広角端をズームレンズ２０４のプリセット位置として自動的にズームレンズ２０４を駆動する機能を割り当てるようにした点である。
【０１０９】
なお、本実施の形態２に係る交換レンズ、および、カメラ本体１０１の基本的な構成や撮影動作等は実施の形態１と同様であるので、共通な部分についての説明は概略のみ示す。
本実施の形態２のプリセットズーム駆動動作の一例を、図７のフローチャートを参照して説明する。
（ステップＳ２０１〜ステップＳ２０５）：
【０１１０】
実施の形態１の図５のステップＳ１０１〜ステップＳ１０５と同様に、交換レンズの装着検出、交換レンズ種別判断、初期設定、電源投入状態確認等を行う。
【０１１１】
（ステップＳ２０６）：
本体ＣＰＵ１２１は本体操作スイッチ検出回路１２９によりカメラ本体１０１の本体望遠スイッチ１３２（本体望遠釦１１０Ｔ）がオン状態であるかどうかを判断し、オン状態である場合にはステップＳ２０７に進み、オフ状態である場合にはステップＳ２０８に進む。
【０１１２】
（ステップＳ２０７）：
本体望遠釦１１０Ｔがオンの場合、本体ＣＰＵ１２１は通信回路２３１、通信ライン２３２を介してレンズＣＰＵ２２１に望遠側へのズーム駆動を指示し、レンズＣＰＵ２２１はズーム位置検出回路２２５、ズーム駆動回路２２４により望遠側へのズーム駆動制御を行う。
【０１１３】
この際、レンズＣＰＵ２２１はズーム位置検出回路２２５によりズームレンズ２０４の位置が望遠端であることが検出されるか、または、本体ＣＰＵ１２１からズーム駆動の停止指示を受信した場合はズーム駆動制御を終了する。
【０１１４】
（ステップＳ２０８）：
本体ＣＰＵ１２１は本体操作スイッチ検出回路１２９によりカメラ本体１０１の本体広角スイッチ１３３（本体広角釦１１０Ｗ）がオン状態であるかどうかを判断し、オン状態である場合にはステップＳ２０９に進み、オフ状態である場合にはステップＳ２１０に進む。
【０１１５】
（ステップＳ２０９）：
ステップＳ２０８で本体広角釦１１０Ｗがオンと判断された場合、本体ＣＰＵ１２１は通信回路２３１、通信ライン２３２を介してレンズＣＰＵ２２１に広角側へのズーム駆動を指示し、レンズＣＰＵ２２１はズーム位置検出回路２２５、ズーム駆動回路２２４により広角側へのズーム駆動制御を行う。
【０１１６】
この際、レンズＣＰＵ２２１はズーム位置検出回路２２５によりズームレンズ２０４の位置が広角端であることが検出されるか、または、本体ＣＰＵ１２１からズーム駆動の停止指示を受信した場合はズーム駆動制御を終了する。
【０１１７】
（ステップＳ２１０）：
レンズＣＰＵ２２１はレンズ操作スイッチ検出回路２２７により交換レンズ２０１のレンズ望遠スイッチ２２８（レンズ望遠釦２０７Ｔ）がオン状態であるかどうかを判断し、オン状態である場合はステップＳ２１１に進み、オフ状態である場合はステップＳ２１２に進む。
【０１１８】
（ステップＳ２１１）：
ステップＳ２１０でレンズ望遠釦２０７Ｔがオンと判断された場合、レンズＣＰＵ２２１はズーム位置検出回路２２５、ズーム駆動回路２２４により望遠端へのズーム駆動制御を行い、ズーム位置検出回路２２５によりズームレンズ２０４の位置が望遠端に達したことが検出されたらズーム駆動制御を終了する。
【０１１９】
この際、レンズ操作スイッチ検出回路２２７によりレンズ望遠スイッチ２２８がオフ状態に変化したことが検出されても、ズームレンズ２０４の位置が望遠端に達するまではズーム駆動制御を継続する。
また、ズーム駆動速度に関してはカメラ本体１０１の本体ズーム操作釦１０９（本体望遠釦１１０Ｔ、本体広角釦１１０Ｗ）での通常のズーム駆動速度よりも高速となるように制御し、例えば、通常の駆動速度の倍速、駆動可能な最高速で駆動制御を行ってもよい。
あるいは、撮影者が後述の図８に示すような、望遠端、または、広角端に自動的にズーム駆動させる場合のカメラ本体１０１のズーム駆動速度設定メニューで、上釦１４１ａ、下釦１４１ｂ、または、選択ダイアル１４３を操作することにより、例えば、０．１倍ピッチで表示変更される通常駆動速度基準の比率を選択し、決定釦１４２で決定した任意の速度で駆動制御を行うようにしてもよい。
【０１２０】
（ステップＳ２１２）：
レンズＣＰＵ２２１はレンズ操作スイッチ検出回路２２７により交換レンズ２０１のレンズ広角スイッチ２２９（レンズ広角釦２０７Ｗ）がオン状態であるかどうかを判断し、オン状態である場合はステップＳ２１３に進み、オフ状態である場合はステップＳ２１４に進む。
【０１２１】
（ステップＳ２１３）：
ステップＳ２１２でレンズ広角釦２０７Ｗがオンと判断された場合、レンズＣＰＵ２２１はズーム位置検出回路２２５、ズーム駆動回路２２４により広角端へのズーム駆動制御を行い、ズーム位置検出回路２２５によりズームレンズ２０４の位置が広角端に達したことが検出されたらズーム駆動制御を終了する。
【０１２２】
この際、レンズ操作スイッチ検出回路２２７によりレンズ広角スイッチ２２９がオフ状態に変化したことが検出されても、ズームレンズ２０４の位置が広角端に達するまではズーム駆動制御を継続する。また、ズーム駆動速度に関してはステップＳ２１１の望遠端への駆動と同様の高速駆動を行う。
【０１２３】
（ステップＳ２１４〜ステップＳ２１９、ステップＳ２２０）：
実施の形態１のステップＳ１０８〜ステップＳ１１３、ステップＳ１１４と同様に、ＡＥ、ＡＦ、１Ｒスイッチ１３０、２Ｒスイッチ１３１の状態検出、撮像、画像データ記憶、終了処理等を行う。
【０１２４】
本実施の形態２では電動ズーム操作部（レンズズーム操作釦２０６）を有する電動ズームタイプの交換レンズ２０１が、電動ズーム操作部（本体ズーム操作釦１０９）を有するカメラ本体１０１に装着された場合、カメラ本体１０１側のズーム操作部に通常のズーム操作機能を割り当て、交換レンズ２０１側のズーム操作部に望遠端、または、広角端をプリセット位置として駆動する機能を割り当てるようにしているが、カメラ本体１０１と交換レンズ２０１に割り当てる機能を逆にしてもよい。
【０１２５】
また、本実施の形態ではスチル撮影時のズーム操作について説明したが、動画撮影中に同様の動作を行うようにしてもよい。その場合、通常の動画撮影ではズーム駆動音が録音されてしまうのを防止するためや、滑らかに画角を変化させて高品位な映像を撮影するために、スチル撮影時と比較して低速でズーム駆動を行うようにしている。
【０１２６】
しかし、それに限らず、動画撮影中に、望遠端、または、広角端への自動的なズームレンズ２０４の駆動を行う場合には、静音や品位よりもズーム駆動速度を重視してスチル撮影時と同等の高速ズーム駆動を行うようにしてもよい。
【０１２７】
あるいは、本実施の形態での説明とは逆に動画撮影時の望遠端、または、広角端への自動的なズームレンズ２０４の駆動に関しては、静音や品位を重視してスチル撮影時よりも低速で行うようにしてもよい。
【０１２８】
図８を参照して、本実施の形態２に係るカメラのズーム駆動速度設定メニュー画面の一例を説明する。
本実施の形態のカメラ本体１０１の背面には、表示用モニタ１０５が設けられている。この表示用モニタ１０５の周辺部には、本体ズーム操作釦１０９を構成する本体望遠釦１１０Ｔおよび本体広角釦１１０Ｗと、選択ダイアル１４３が設けられている。
【０１２９】
さらに、決定釦１４２を取り囲むように選択釦１４１が設けられている。この選択釦１４１は、決定釦１４２の上下左右に配置された、上釦１４１ａ、下釦１４１ｂ、左釦１４１ｃ、右釦１４１ｄで構成されている。
【０１３０】
上釦１４１ａ、下釦１４１ｂ、左釦１４１ｃ、右釦１４１ｄは、各種撮影メニューや設定メニューの設定項目や設定値等を選択するために用いられる。
決定釦１４２は、選択釦１４１（上釦１４１ａ、下釦１４１ｂ、左釦１４１ｃ、右釦１４１ｄ）により選択された設定項目や設定値等を決定するために用いられる。
【０１３１】
選択ダイアル１４３は、選択釦１４１と同様に設定項目や設定値等を選択するためのダイアルである。
【０１３２】
表示用モニタ１０５の画面表示はズーム駆動速度の選択画面で、上釦１４１ａ、下釦１４１ｂ、または、選択ダイアル１４３を操作すると、例えば、×０．１ピッチで・・・、×０．８、×０．９、×１．０、×１．１、×１．２、・・・のように速度比率表示枠１０５ａ内の表示が変更される。
【０１３３】
他の変形例として、ズームレンズ２０４のプリセット位置を望遠端、または、広角端ではなく、予めカメラ本体１０１に登録されているプリセット位置や撮影者が任意に設定したプリセット位置とするようにしてもよい。
【０１３４】
更にズーム機能の割り当てをカメラ本体１０１のメニュー等で変更可能な仕様としておいて、ズームレンズ２０４のプリセットズーム駆動を交換レンズ２０１側に割り当てた場合は望遠端、または、広角端、カメラ本体１０１側に割り当てた場合は固定、または、任意に設定されているプリセット位置を駆動先に設定するようにしてもよい。
【０１３５】
図９Ａは、現在ズーム位置をプリセット位置としてカメラ本体のズーム操作部に割り当てる場合の設定メニュー画面の一例を示している。
表示用モニタ１０５の画面表示はズームレンズ２０４のプリセット位置を割り当てる釦の選択画面１０５ｂである。
【０１３６】
この選択画面１０５ｂを表示した状態で、上釦１４１ａ、下釦１４１ｂ、または、選択ダイアル１４３を操作すると、例えば、本体望遠釦１１０Ｔ、本体広角釦１１０Ｗの何れかが選択されたことを示す太枠表示１０５ｃが上下に移動する。
【０１３７】
そして、太枠表示１０５ｃで「Ｗ釦」（本体広角釦１１０Ｗ）または「Ｔ釦」（本体望遠釦１１０Ｔ）を選択した状態で決定釦１４２を押下すると、プリセット位置を割り当てる釦として選択することができる。
【０１３８】
図９Ｂは、撮影者がプリセット位置に設定する焦点距離を選択する場合の設定メニュー画面の一例を示している。
表示用モニタ１０５の画面表示は焦点距離の選択画面で、上釦１４１ａ、下釦１４１ｂ、または、選択ダイアル１４３を操作すると、例えば、２ｍｍピッチで・・・、４６ｍｍ、４８ｍｍ、５０ｍｍ、５２ｍｍ、５４ｍｍ、・・・のように焦点距離表示枠１０５ｄ内の表示が変更される。
そして、この焦点距離表示枠１０５ｄに表示された焦点距離の位置がズームレンズ２０４のプリセット位置となる。
【０１３９】
別の方法として、プリセット位置の任意設定は、ズームレンズ２０４のズーム位置をプリセットしたい位置に移動した状態で図９Ａに示すような、カメラ本体１０１のプリセットズーム設定メニューで、二つのズーム操作部のどちらに現在のズーム位置を設定するかを、撮影者が上釦１４１ａ、下釦１４１ｂ、または、選択ダイアル１４３を操作して選択し、決定釦１４２で決定するような方法で行ってもよい。
【０１４０】
あるいは、図９Ｂに示すような、プリセットズーム設定メニューで設定したい焦点距離を、撮影者が上釦１４１ａ、下釦１４１ｂ、または、選択ダイアル１４３を操作することにより、例えば、２ｍｍピッチで表示変更される焦点距離の中から選択して決定釦１４２で決定後に、上記と同様のズーム操作部への割り当てをするような設定方法等を採用してもよい。
【０１４１】
以上で説明したように実施の形態２によれば、電動ズーム操作部（レンズズーム操作釦２０６）を有する電動ズームタイプの交換レンズ２０１が、電動ズーム操作部（本体ズーム操作釦１０９）を有するカメラ本体１０１に装着された場合、通常のズーム動作は一方の電動ズーム操作部のみを有効とし、他方の電動ズーム操作部にはプリセットズーム駆動機能を割り当てるようにするので、レンズズーム操作釦２０６と本体ズーム操作釦１０９の競合等に起因するシステム破綻を防止しつつ、交換レンズ２０１のズーム機能の多彩化を図ることができる。
【０１４２】
また、本体ズーム操作釦１０９に対して冗長なレンズズーム操作釦２０６を広角端または望遠端へのズームレンズ２０４のズーム移動に割り当てることで、カメラ本体１０１の操作性が向上する。
【０１４３】
（実施の形態３）
図１０は、本発明の実施の形態３に係るカメラのスチル撮影動作の一例を説明するためのフローチャートである。
本実施の形態３と、上述の実施の形態１との相違点は、レンズズーム操作釦２０６を備えた交換レンズ２０１がカメラ本体１０１に接続された場合、交換レンズ２０１のレンズズーム操作釦２０６（レンズ望遠釦２０７Ｔ、レンズ広角釦２０７Ｗ）が操作された際の動作として、撮影倍率が所定の倍率となる位置にズームレンズ２０４を駆動する、所謂オートズーム機能を割り当てるようにした点である。
【０１４４】
本実施の形態３に係る交換レンズ、および、カメラ本体の基本的な構成や撮影動作等は実施の形態１と同様であるので、共通な部分についての説明は概略のみ示す。
【０１４５】
図１０を参照して、本実施の形態３に係るカメラのスチル撮影動作の一例を説明する。
（ステップＳ３０１〜ステップＳ３０９）：
上述の実施の形態２のステップＳ２０１〜ステップＳ２０９と同様に、交換レンズの装着検出、交換レンズ種別判断、初期設定、電源投入状態確認、カメラ本体でのズーム操作による通常のズーム駆動制御等を行う。
【０１４６】
（ステップＳ３１０）：
レンズＣＰＵ２２１はレンズ操作スイッチ検出回路２２７により交換レンズ２０１のレンズ望遠スイッチ２２８（レンズ望遠釦２０７Ｔ）がオン状態であるかどうかを判断し、オン状態である場合はステップＳ３１１に進み、オフ状態である場合はステップＳ３１３に進む。
【０１４７】
（ステップＳ３１１）：
ステップＳ３１０でレンズ望遠釦２０７Ｔがオンと判定され場合、オートズーム時に利用する被写体距離情報を取得するためのＡＦを実行する。オートズーム時に顔の大きさ情報を利用するようにして、公知の顔検出処理も同時に実行するようにしてもよい。
【０１４８】
（ステップＳ３１２）：
レンズＣＰＵ２２１はステップＳ３１０でのＡＦ結果である焦点調節レンズ２０３の合焦位置に基づいて、焦点調節レンズ２０３の位置に対応する距離テーブルデータ等から求めた被写体距離と予め指定された撮影倍率からズーム駆動の目標位置を算出する。
【０１４９】
例えば、被写体距離Ｌが２ｍで指定撮影倍率Ｍが１／５０倍であるとすると目標位置（焦点距離Ｌｆ）は、
Ｌｆ＝Ｌ×Ｍ＝２０００／５０＝４０ｍｍ
となる。
また、ステップＳ３１０での顔検出結果を利用してオートズームを行う場合は、検出した顔の大きさと現在のズーム位置、および、指定撮影倍率からズーム駆動の目標位置を算出する。
【０１５０】
例えば、検出した顔の画素領域から求めた撮像素子上での顔の横方向の長さＷ１が１．４ｍｍで現在のズーム位置Ｌｚ（焦点距離）が２０ｍｍである場合、標準的な顔の横方向の長さＷ０が１４０ｍｍと仮定すると被写体距離Ｌは、
Ｌ＝Ｌｚ×Ｗ０／Ｗ１＝２０×１４０／１．４＝２０００ｍｍ
であり、指定撮影倍率Ｍが１／４０倍であるとすると目標位置（焦点距離Ｌｆ）は、
Ｌｆ＝Ｌ×Ｍ＝２０００／４０＝５０ｍｍ
となる。
【０１５１】
目標位置を求める方法は上記の二つ方法のみに限るものではなく、例えば、上記の二つの方法で求めた位置の平均を目標位置とする等、指定撮影倍率に応じた目標位置が求められる方法であればよい。
そして、求めた目標位置の平均位置等にズーム位置検出回路２２５、ズーム駆動回路２２４により目標位置へのズーム駆動制御を行う。
【０１５２】
ここで、撮影倍率の指定は交換レンズ２０１の製造時にレンズ望遠釦２０７Ｔに固定で設定しておくようにしてもよいし、図９Ａ、図９Ｂと同様なカメラ本体１０１のオートズーム設定メニューで設定したい撮影倍率を選択し、二つのズーム操作釦の何れに割り当てるかを選択するような方法等で撮影者が設定できるようにしてもよい。
【０１５３】
また、ズーム駆動速度に関してはカメラ本体１０１の本体ズーム操作釦１０９（本体望遠釦１１０Ｔ、本体広角釦１１０Ｗ）での通常のズーム駆動速度よりも高速となるように制御し、例えば、通常の駆動速度の倍速、駆動可能な最高速で駆動制御を行ってもよいし、撮影者が図８と同様なカメラ本体１０１のオートズーム駆動速度設定メニューで選択、決定した任意の速度で駆動制御を行うようにしてもよい。
【０１５４】
（ステップＳ３１３）：
レンズＣＰＵ２２１はレンズ操作スイッチ検出回路２２７により交換レンズ２０１のレンズ広角スイッチ２２９（レンズ広角釦２０７Ｗ）がオン状態であるかどうかを判断し、オン状態である場合はステップＳ３１４に進み、オフ状態である場合はステップＳ３１５に進む。
【０１５５】
（ステップＳ３１４）：
ステップＳ３１１と同様にオートズーム用のオートフォーカス（ＡＦ）、顔検出処理等を実行する。
【０１５６】
（ステップＳ３１５）：
ステップＳ３１２のレンズ望遠釦２０７Ｔが操作された場合と同様に、レンズ広角釦２０７Ｗに対して設定されている撮影倍率に応じたズーム位置への駆動制御を行う。
【０１５７】
（ステップＳ３１６〜ステップＳ３２１、ステップＳ３２２）：
実施の形態２のステップＳ２１４〜ステップＳ２１９、ステップＳ２２０と同様に、ＡＥ、ＡＦ、１Ｒスイッチ１３０、２Ｒスイッチ１３１の状態検出、撮像、画像データ記憶、終了処理等を行う。
【０１５８】
本実施の形態３では電動ズーム操作部（レンズズーム操作釦２０６）を有する電動ズームタイプの交換レンズ２０１が、電動ズーム操作部（本体ズーム操作釦１０９）を有するカメラ本体１０１に装着された場合、カメラ本体１０１側のズーム操作部（本体ズーム操作釦１０９）に通常のズーム操作機能を割り当て、交換レンズ２０１側のズーム操作部（レンズズーム操作釦２０６）にオートズーム機能を割り当てるようにしているが、カメラ本体１０１と交換レンズ２０１に割り当てる機能を逆にしてもよい。
【０１５９】
また、本実施の形態３ではスチル撮影時のズーム操作について説明したが、動画撮影中に同様の動作を行うようにしてもよい。
通常の動画撮影ではズーム駆動音が録音されてしまうのを防止するためや、滑らかに画角を変化させて高品位な映像を撮影するために、スチル撮影時と比較して低速でズーム駆動を行うようにしているが、オートズームを行う場合には、静音や品位よりもズーム駆動速度を重視してスチル撮影時と同等の高速ズーム駆動を行うようにしてもよい。
【０１６０】
あるいは、本実施の形態３での説明とは逆に動画撮影時のオートズームに関しては、静音や品位を重視してスチル撮影時よりも低速で行うようにしてもよい。
【０１６１】
以上で説明したように実施の形態３によれば、電動ズーム操作部（レンズズーム操作釦２０６）を有する電動ズームタイプの交換レンズ２０１が、電動ズーム操作部（本体ズーム操作釦１０９）を有するカメラ本体１０１に装着された場合、通常のズーム動作は一方の電動ズーム操作部のみを有効とし、他方の電動ズーム操作部にはオートズーム機能を割り当てるようにするので、レンズズーム操作釦２０６と本体ズーム操作釦１０９の競合等に起因するシステム破綻を防止しつつ、ズーム機能の多彩化を図ることができる。
【０１６２】
また、冗長となったレンズズーム操作釦２０６に対してオートズーム機能を割り当てることで、任意の倍率へのズームレンズ２０４のズーム移動を簡便かつ高速に実現でき、カメラ本体１０１の操作性が向上する。
【０１６３】
（実施の形態４）
図１１は、本発明の実施の形態４に係るカメラのスチル撮影動作の一例を説明するためのフローチャートである。
本実施の形態４と、上述の実施の形態１との相違点は、レンズズーム操作釦２０６を備えた交換レンズ２０１がカメラ本体１０１に接続された場合、交換レンズ２０１のレンズズーム操作釦２０６（レンズ望遠釦２０７Ｔ、レンズ広角釦２０７Ｗ）の操作機能として、撮像素子への露光中にズーム駆動を行う、所謂、露光間ズーム機能を割り当てるようにした点である。
【０１６４】
本実施の形態４に係る交換レンズ、および、カメラ本体の基本的な構成や撮影動作等は実施の形態１と同様であるので、共通な部分についての説明は概略のみ示す。
【０１６５】
図１１を参照して、本発明の実施の形態４に係るカメラのスチル撮影動作の一例を説明する。
（ステップＳ４０１〜ステップＳ４１３）：
上述の実施の形態２のステップＳ２０１〜ステップＳ２０９、ステップＳ２１４〜ステップＳ２１７等と同様に、交換レンズの装着検出、交換レンズ種別判断、初期設定、電源投入状態確認、カメラ本体でのズーム操作による通常のズーム駆動制御、ＡＥ、ＡＦ、１Ｒスイッチ１３０、２Ｒスイッチ１３１の状態検出等を行う。
【０１６６】
（ステップＳ４１４）：
レンズＣＰＵ２２１はレンズ操作スイッチ検出回路２２７により交換レンズ２０１のレンズ望遠スイッチ２２８（レンズ望遠釦２０７Ｔ）がオン状態であるかどうかを判断し、オン状態である場合はステップＳ４１６に進み、オフ状態である場合はステップＳ４１５に進む。
【０１６７】
（ステップＳ４１６）：
ステップＳ４１４でレンズ望遠釦２０７Ｔがオンと判断された場合、レンズＣＰＵ２２１はズーム位置検出回路２２５、ズーム駆動回路２２４により望遠側へのズーム駆動を開始する。
この際、レンズ操作スイッチ検出回路２２７によりレンズ望遠スイッチ２２８がオフ状態に変化したことが検出されても、ズームレンズ２０４の位置が望遠端に到達しない限りはステップＳ４１８の撮像が終了するまでズーム駆動制御を継続する。
【０１６８】
駆動開始のタイミングはステップＳ４１８での本体ＣＰＵ１２１による撮像動作の開始前でもよいが、撮像動作時の本体ＣＰＵ１２１からの絞り駆動指示に応じた絞り駆動回路２２６による絞り２０５の駆動制御の開始時点や完了時点等のタイミングでズーム駆動を開始するようにしてもよい。
【０１６９】
また、ズーム駆動速度に関しては固定速度でカメラ本体１０１の本体ズーム操作釦１０９（本体望遠釦１１０Ｔ、本体広角釦１１０Ｗ）での通常のズーム駆動速度と同速となるように駆動制御を行ってもよいし、撮影者が図８と同様なカメラ本体１０１の露光間ズーム駆動速度設定メニューで選択、決定した任意の速度で駆動制御を行うようにしてもよい。
【０１７０】
（ステップＳ４１５）：
上述のステップＳ４１４でレンズ望遠釦２０７Ｔがオフと判断された場合、レンズＣＰＵ２２１はレンズ操作スイッチ検出回路２２７により交換レンズ２０１のレンズ広角スイッチ２２９（レンズ広角釦２０７Ｗ）がオン状態であるかどうかを判断し、オン状態である場合はステップＳ４１７に進み、オフ状態である場合はステップＳ４１８に進む。
【０１７１】
（ステップＳ４１７）：
ステップＳ４１５でレンズ広角スイッチ２２９（レンズ広角釦２０７Ｗ）がオン状態と判断された場合、レンズＣＰＵ２２１はステップＳ４１６での望遠側へのズーム駆動と同様に、ズーム位置検出回路２２５、ズーム駆動回路２２４により広角側へのズーム駆動を開始する。
【０１７２】
（ステップＳ４１８）：
実施の形態２のステップＳ２１８と同様に、撮像を行う。
（ステップＳ４１９）：
ステップＳ４１８の撮像が完了した時点で、レンズＣＰＵ２２１はズーム駆動回路２２４によりズーム駆動を停止する。
【０１７３】
（ステップＳ４２０〜ステップＳ４２１）：
実施の形態２のステップＳ２１９〜ステップＳ２２０と同様に、画像データ記憶、終了処理等を行う。
【０１７４】
本実施の形態４では電動ズーム操作部を有する電動ズームタイプの交換レンズ２０１が、電動ズーム操作部を有するカメラ本体１０１に装着された場合、カメラ本体１０１側のズーム操作部に通常のズーム操作機能を割り当て、交換レンズ２０１側のズーム操作部にオートズーム機能を割り当てるようにしているが、カメラ本体１０１と交換レンズ２０１に割り当てる機能を逆にしてもよい。
【０１７５】
以上で説明したように実施の形態４によれば、電動ズーム操作部（レンズズーム操作釦２０６）を有する電動ズームタイプの交換レンズ２０１が、電動ズーム操作部（本体ズーム操作釦１０９）を有するカメラ本体１０１に装着された場合、通常のズーム動作は一方の電動ズーム操作部のみを有効とし、他方の電動ズーム操作部には露光間ズーム機能を割り当てる。
これにより、レンズズーム操作釦２０６と本体ズーム操作釦１０９の競合等に起因するシステム破綻を防止しつつ、冗長なレンズズーム操作釦２０６または本体ズーム操作釦１０９を利用して、露光間ズーム等の高度な撮影技法を簡便に実現することが可能となり、ズーム機能の多彩化を実現することができる。
【０１７６】
また、以上で説明した各実施の形態でのズーム機能の割り当てはそれぞれ固定で設定されなければならないわけではなく、通常のズーム操作以外の機能割り当てを、撮影者がカメラ本体１０１のズーム機能割り当てメニューで選択する等の方法で、任意に設定できるようになっていてもよい。
なお、本発明は、上述の実施の形態に例示した構成に限らず、その趣旨を逸脱しない範囲で種々変更可能であることは言うまでもない。
【符号の説明】
【０１７７】
１００  カメラシステム
１０１  カメラ本体
１０２  カメラ制御回路
１０３  撮像素子
１０４  フォーカルプレンシャッタ
１０５  表示用モニタ
１０５ａ  速度比率表示枠
１０５ｂ  選択画面
１０５ｃ  太枠表示
１０５ｄ  焦点距離表示枠
１０６  ストロボ
１０７  レリーズ釦
１０８  バッテリー
１０９  本体ズーム操作釦
１１０Ｔ  本体望遠釦
１１０Ｗ  本体広角釦
１２１  本体ＣＰＵ
１２２  不揮発性メモリ
１２３  メモリ
１２４  撮像素子制御回路
１２５  画像処理回路
１２６  シャッタ制御回路
１２７  表示回路
１２８  ストロボ制御回路
１２９  本体操作スイッチ検出回路
１３０  １Ｒスイッチ（第１レリーズスイッチ）
１３１  ２Ｒスイッチ（第２レリーズスイッチ）
１３２  本体望遠スイッチ
１３３  本体広角スイッチ
１３４  電源回路
１３５  制御プログラム
１４１  選択釦
１４１ａ  上釦
１４１ｂ  下釦
１４１ｃ  左釦
１４１ｄ  右釦
１４２  決定釦
１４３  選択ダイアル
２０１  交換レンズ
２０２  レンズ制御回路
２０３  焦点調節レンズ
２０４  ズームレンズ
２０５  絞り
２０６  レンズズーム操作釦
２０７Ｔ  レンズ望遠釦
２０７Ｗ  レンズ広角釦
２０８  操作モード変更レバー
２２１  レンズＣＰＵ
２２２  レンズ駆動回路
２２３  レンズ位置検出回路
２２４  ズーム駆動回路
２２５  ズーム位置検出回路
２２６  絞り駆動回路
２２７  レンズ操作スイッチ検出回路
２２８  レンズ望遠スイッチ
２２９  レンズ広角スイッチ
２３０  操作モード変更スイッチ
２３１  通信回路
２３２  通信ライン
Ｂ１  ボディ側状態
Ｂ１−１  ボディ側出力
Ｂ２  ボディ側状態
Ｂ２−１  ボディ側出力
Ｂ２−２  ボディ側出力
Ｂ２−３  ボディ側出力
Ｂ３  ボディ側状態
Ｂ３−１  ボディ側出力
Ｂ４  ボディ側状態
Ｂ４−１  ボディ側出力
Ｂ４−２  ボディ側出力
Ｌ１  レンズ側状態
Ｌ２  レンズ側状態
Ｌ２−１  レンズ側出力
Ｌ３  レンズ側状態
Ｌ４  レンズ側状態
Ｌ５  レンズ側状態
Ｌ５−１  レンズ側出力
Ｌ６  レンズ側状態
Ｌ７  レンズ側状態
【図１】
2012194399.tif 000003
【図２】
2012194399.tif 000004
【図３】
2012194399.tif 000005
【図４】
2012194399.tif 000006
【図５】
2012194399.tif 000007
【図６】
2012194399.tif 000008
【図７】
2012194399.tif 000009
【図８】
2012194399.tif 000010
【図９Ａ】
2012194399.tif 000011
【図９Ｂ】
2012194399.tif 000012
【図１０】
2012194399.tif 000013
【図１１】
2012194399.tif 000014